(57)【要約】【課題】活性種の発生時に生じる硝酸アンモニウム等が接点部に溜まるのを防止して腐食を防止する。【解決手段】空気調和機は、ケーシング２に取り付け可能であって、活性種を発生する活性種発生放電部を有する活性種発生ユニット９を備えている。活性種発生ユニット９の第１接点部４３、４４は、ケーシング２内に収容された高圧電源供給部の第２接点部２４、２５と接続される。ファン及び熱交換器と、第２接点部との間には、壁部が配置されており、この壁部は、ドレンパンより高い位置に切り欠きを有する。【選択図】図６
2014013113.tif 000002
【特許請求の範囲】
【請求項１】
ファン、熱交換器、前記熱交換器の下方に配置されたドレンパン及び高圧電源供給部を収容したケーシングと、
前記ケーシングに取り付け可能であって、活性種を発生する活性種発生放電部を有する活性種発生ユニットとを備えており、
前記活性種発生ユニットが前記ケーシングに取り付けられた場合に、前記活性種発生ユニットの第１接点部が前記高圧電源供給部の第２接点部と接続されるように構成され、
前記ファン及び前記熱交換器と、前記第２接点部との間には、壁部が配置され、
前記壁部が、前記ドレンパンより高い位置に切り欠きを有することを特徴とする空気調和機。
【請求項２】
前記ケーシングに収容された電装品箱を備えており、
前記電装品箱が、開口を有する箱部と、前記開口を塞ぐ蓋部とを含んでおり、
前記第２接点部が、前記箱部の側壁の外周面に配置され、
前記開口が、前記第２接点部に対して前記壁部と反対側にあることを特徴とする請求項１に記載の空気調和機。
【発明の詳細な説明】
【技術分野】
【０００１】
本発明は、放電により活性種を生成する活性種発生ユニットを備える空気調和機に関する。
【背景技術】
【０００２】
従来から、空気調和機として、空気の清浄化のために、放電によってイオンやラジカル等の活性種を生成する活性種発生装置を備えたものが知られている（例えば特許文献１参照）。活性種は、空気中に含まれる有害成分や臭気成分を分解する能力を有している。
【０００３】
活性種発生装置を備えた空気調和機の一例として、熱交換器やファンを収容するケーシングと、ケーシングの前面を覆う前面パネルとを有し、ケーシングの前面の長手方向端部に形成された凹部内に活性種発生装置が配置される場合がある（本実施形態の図２及び図３参照）。
【０００４】
例えば図１４に示すように、活性種発生装置９０は、空気の流入口９１ａと流出口（図示省略）を有する直方体状の筺体９１と、筺体９１内に収容された放電針及び電極板（図示省略）と、電極板に接続される端子板９２とを有する。端子板９２は、筺体９１に形成された貫通孔９１ｂから筺体９１の外に突出している。活性種発生装置９０をケーシング９３に取り付けた状態では、端子板９２は、ケーシング９３に形成された挿通孔９３ａに挿通されて、その先端はケーシング９３内に設けられた接点部９４に接続される。接点部９４は、例えば電装品箱９５の外面に配置される。
【０００５】
また、図１４に示す例では、ファンによる空気流が接点部９４付近を通過すると、接点部９４周辺に埃等が付着して絶縁耐力が低下するので、それを防止するために、接点部９４とファンとの間には、空気の流れを遮断するための壁部９６が設けられている。
【先行技術文献】
【特許文献】
【０００６】
【特許文献１】特開２００６−２３４３３０号公報
【発明の概要】
【発明が解決しようとする課題】
【０００７】
活性種が発生する際、副産物として硝酸アンモニウムとオゾンが発生する。発生した硝酸アンモニウム及びオゾンの一部は、筺体９１に設けられた端子板９２の貫通孔９１ｂを通って筺体９１の外部に排出された後、ケーシング９３の挿通孔９３ａを通過して、接点部９４付近まで移動する。接点部９４とファンとの間に壁部９６を設けたことで接点部９４付近にはオゾンを含んだ空気の流れが少なくなるが、それでも接点部９４付近に若干の硝酸アンモニウム等が溜まってしまう。硝酸アンモニウムは吸水性が高く、水分を含むと誘導体となるため、接点部９４付近に溜まった硝酸アンモニウムによって、接点部９４やそれに接続された配線等が腐食するという問題が生じる。オゾンも電子部品を劣化させる性質を有する。
【０００８】
また、接点部９４が電装品箱９５の外面に設けられている場合には、接点部９４付近に溜まった硝酸アンモニウムが、電装品箱９５内に侵入し、電装品箱９５内の電子部品が腐食する場合がある。
【０００９】
そこで、本発明は、活性種の発生時に生じる硝酸アンモニウム等が接点部に溜まるのを防止して腐食を防止できる空気調和機を提供することを目的とする。
【課題を解決するための手段】
【００１０】
上記課題を解決するために、第１の発明に係る空気調和機は、ファン、熱交換器、前記熱交換器の下方に配置されたドレンパン及び高圧電源供給部を収容したケーシングと、前記ケーシングに取り付け可能であって、活性種を発生する活性種発生放電部を有する活性種発生ユニットとを備えており、前記活性種発生ユニットが前記ケーシングに取り付けられた場合に、前記活性種発生ユニットの第１接点部が前記高圧電源供給部の第２接点部と接続されるように構成され、前記ファン及び前記熱交換器と、前記第２接点部との間には、壁部が配置され、前記壁部が、前記ドレンパンより高い位置に切り欠きを有することを特徴とする。
【００１１】
この空気調和機では、第２接点部とファンとの間に壁部を設けることで、ファンによる空気流によって第２接点部周辺に埃等が付着して絶縁耐力が低下するのを防止できるとともに、この壁部に切り欠きを設けることで、活性種の発生時に発生した硝酸アンモニウムやオゾンが、活性種発生ユニットから排出されて第２接点部周辺に移動した場合に、壁部の第２接点部側にある硝酸アンモニウム等を、切り欠きによって、壁部の第２接点部と反対側の空間に排出できる。したがって、硝酸アンモニウム等が第２接点部周辺に溜まるのを防止できるため、第２接点部やそれに接続された配線等の部品が硝酸アンモニウム等で腐食するのを防止できる。
また、切り欠きはドレンパンよりも高い位置に形成されているため、切り欠きを通って壁部の熱交換器側の空間に移動した硝酸アンモニウム等を、ドレンパン内に溜めることができる。したがって、ドレンパン内に貯留された凝縮水と一緒に硝酸アンモニウム等を空気調和機から排出できる。
【００１２】
第２の発明に係る空気調和機は、第１の発明において、前記ケーシングに収容された電装品箱を備えており、前記電装品箱が、開口を有する箱部と、前記開口を塞ぐ蓋部とを含んでおり、前記第２接点部が、前記箱部の側壁の外周面に配置され、前記開口が、前記第２接点部に対して前記壁部と反対側にあることを特徴とする。
【００１３】
この空気調和機では、電装品箱の箱部は、第２接点部に対して壁部と反対側に開口を有するため、切り欠きを通って壁部の第２接点部と反対側の空間に移動した硝酸アンモニウム等が、箱部と蓋部との隙間から電装品箱内に侵入することが無い。そのため、電装品箱内の電子部品の腐食を防止できる。
【発明の効果】
【００１４】
以上の説明に述べたように、本発明によれば、以下の効果が得られる。
【００１５】
第１の発明では、第２接点部とファンとの間に壁部を設けることで、ファンによる空気流によって第２接点部周辺に埃等が付着して絶縁耐力が低下するのを防止できるとともに、この壁部に切り欠きを設けることで、活性種の発生時に発生した硝酸アンモニウムやオゾンが、活性種発生ユニットから排出されて第２接点部周辺に移動した場合に、壁部の第２接点部側にある硝酸アンモニウム等を、切り欠きによって、壁部の第２接点部と反対側の空間に排出できる。したがって、硝酸アンモニウム等が第２接点部周辺に溜まるのを防止できるため、第２接点部やそれに接続された配線等の部品が硝酸アンモニウム等で腐食するのを防止できる。
また、切り欠きはドレンパンよりも高い位置に形成されているため、切り欠きを通って壁部の熱交換器側の空間に移動した硝酸アンモニウム等を、ドレンパン内に溜めることができる。したがって、ドレンパン内に貯留された凝縮水と一緒に硝酸アンモニウム等を空気調和機から排出できる。
【００１６】
第２の発明では、電装品箱の箱部は、第２接点部に対して壁部と反対側に開口を有するため、切り欠きを通って壁部の第２接点部と反対側の空間に移動した硝酸アンモニウム等が、箱部と蓋部との隙間から電装品箱内に侵入することが無い。そのため、電装品箱内の電子部品の腐食を防止できる。
【図面の簡単な説明】
【００１７】
【図１】本発明の実施形態に係る空気調和機の室内機の斜視図である。
【図２】図１に示すＡ−Ａ線に沿った断面図である。
【図３】前面パネルを開いた状態の室内機の斜視図である。
【図４】図３の状態から活性種発生ユニットを取り外した場合の部分拡大斜視図である。
【図５】図３の状態から活性種発生ユニットを取り外した場合の正面図である。
【図６】図５に示すＢ−Ｂ線に沿った室内機の断面図である。
【図７】図６に示すＣ−Ｃ線に沿った断面図である。
【図８】ケーシングとフィルタユニットを取り外した状態の斜視図である。
【図９】図８の状態から電装品箱の蓋部を取り外した場合の部分拡大斜視図である。
【図１０】電装品ユニットの斜視図である。
【図１１】ケーシングとフィルタユニットを取り外した状態の正面図である。
【図１２】活性種発生ユニットの分解斜視図である。
【図１３】（ａ）は活性種発生ユニットの筺体の平面図であって、（ｂ）は（ａ）に示すＤ−Ｄ線に沿った断面図である。
【図１４】活性種発生ユニットを備えた従来の室内機の断面図である。
【発明を実施するための形態】
【００１８】
以下、本発明の実施形態に係る空気調和機について説明する。
本実施形態の空気調和機は、図１に示す室内機１と、図示しない室外機とで構成されており、室内の冷暖房を行う。室内機１は、全体として一方向に細長い形状を有しており、その長手方向が水平となるように室内の壁面に据え付けられる。なお、以下の説明において、室内機１が取り付けられる壁から突出する方向を「前方」と称し、その反対の方向を「後方」と称する。また、図１に示す左右方向を単に「左右方向」と称する。
【００１９】
図１及び図２に示すように、室内機１は、後方が開口した略直方体状のケーシング２と、ケーシング２の前面を覆う前面パネル３と、ケーシング２の前面に着脱可能に取り付けられた活性種発生ユニット９と、ケーシング２内に収容されたファン４、熱交換器５、ドレンパン６、フィルタユニット７及び電装品ユニット８（図８参照）等の内部機器とを備えている。
【００２０】
ケーシング２の上壁には吸込口１０が形成されており、ケーシング２の下壁には吹出口１１が形成されている。空調運転時には、ファン４の駆動により、吸込口１０からケーシング２内に室内空気が吸い込まれる。吸い込まれた空気は、フィルタユニット７、熱交換器５及びファン４を順に通過して吹出口１１から吹き出される。
【００２１】
図３に示すように、ケーシング２の前面には、開口部１２が形成されている。また、図４に示すように、ケーシング２の前面の開口部１２より右側には、活性種発生ユニット９が収容される凹状の収容部１３と、収容部１３から開口部１２まで延びた流路溝１４とが形成されている。流路溝１４には、活性種発生ユニット９から排出された活性種が通過する。
【００２２】
図５に示すように、収容部１３の底部には、２つの挿通孔１３ａ、１３ｂが上下に並んで形成されている。挿通孔１３ａ、１３ｂには、活性種発生ユニット９の端子板（第１接点部）４５、４５及び突出部３７、３８（図２参照）が挿通される。また、図６に示すように、収容部１３の上壁には、活性種発生ユニット９の後述する爪部３０ｃと係合する係合溝１３ｃが形成されている。前面パネル３の下端及び右端とケーシング２との間には隙間が形成されており、この隙間から吸い込まれた室内空気が、活性種発生ユニット９に供給される。なお、図６は、図５及び図１１に示すＢ−Ｂ線での断面図である。
【００２３】
図５に示すように、フィルタユニット７は、開口部１２に設置されており、その上端部は吸込口１０に近接している。また、図２に示すように、ファン４及び熱交換器５は、フィルタユニット７の後方に配置される。ファン４は、上前方から空気を吸い込んで、下後方に吹き出すように構成されている。熱交換器５は、ファン４の前方及び上方を取り囲むように配置されている。ドレンパン６は、冷房運転時に熱交換器５において空気中の水分が凝縮されて発生する凝縮水を受けるためのものであって、熱交換器５の下方に配置される。
【００２４】
図８に示すように、電装品ユニット８は、ファン４（図２参照）及び熱交換器５の右側であって、収容部１３（図４参照）の後方の位置に配置される。電装品ユニット８は、電子部品を収容する電装品箱２０を有する。図８，９に示すように、電装品箱２０は、右側が開口した箱部２１と、箱部２１の開口を塞ぐ蓋部２２とを有する。また、図９に示すように、箱部２１内の下部には、活性種発生ユニット９に高電圧を供給する高圧電源基板２３が収容されている。
【００２５】
図９、図１０及び図１１に示すように、箱部２１の前壁の外面には、２つの接点部（第２接点部）２４、２５と、壁部２６と、短壁部２７とが配置されている。接点部２５は、接点部２４の上方に配置されている。図７に示すように、接点部２５は、活性種発生ユニット９の端子板４５と接続され、同様に、接点部２４は、活性種発生ユニット９の端子板４４と接続される（図６参照）。
【００２６】
図１０及び図１１に示すように、壁部２６は、２つの接点部２４、２５の左側に配置されて上下方向に延びる部分（縦壁２６ａとする）と、接点部２４の上下及び右側を取り囲む部分と、接点部２５の上下及び右側を取り囲む部分とを有する。壁部２６の縦壁２６ａの下端と、接点部２４の下側に配置されて左右方向に延びる部分（下壁２６ｂ）とは、接続されておらず、壁部２６は、縦壁２６ａと下壁２６ｂとの間に、切り欠き２６ｃを有する。壁部２６のうち少なくとも縦壁２６ａと下壁２６ｂとが、本発明の壁部を構成する。
【００２７】
図９及び図１１に示すように、短壁部２７は、壁部２６よりも前後方向長さが短く、縦壁２６ａの左側に上下方向に沿って配置されている。短壁部２７の上端は、壁部２６のうち接点部２５の下方に配置された部分に接続され、短壁部２７の下端は、壁部２６のうち接点部２４の上方に配置された部分に接続されている。
【００２８】
接点部２４、２５は、箱部２１の外側に配置された配線２８（図１０及び図１１参照）によって高圧電源基板２３（図９参照）に接続される。接点部２５に接続された配線２８の一部は、縦壁２６ａと短壁部２７との間に配置される。接点部２４、２５と高圧電源基板２３と配線２８が、本発明の高圧電源供給部を構成する。
【００２９】
図１２及び図１３に示すように、活性種発生ユニット９は、前方が開口した略直方体状の筺体３０と、筺体３０の開口を覆う蓋３１と、筺体３０内に配置された放電電極板４０及び対向電極板４１と、放電電極板４０に保持された放電針４２と、放電電極板４０及び対向電極板４１にそれぞれ接続された２枚の端子板（第１接点部）４４、４５と、筺体３０内に配置された補助フィルタ３２とを備える。なお、図１２、図１３（ａ）及び図１３（ｂ）に示す上下、左右、前後方向は、活性種発生ユニット９をケーシング２の収容部１３に取り付けたときの方向である。
【００３０】
筺体３０及び蓋３１は、絶縁性の高い合成樹脂で形成されている。筺体３０の上面には、爪部３０ｃが形成されている。活性種発生ユニット９をケーシング２の収容部１３に取り付けたとき、爪部３０ｃは収容部１３に設けられた係合溝１３ｃ（図６参照）と係合する。
【００３１】
蓋３１は、筺体３０の前側開口の下端部以外の部分を塞ぐように配置される（図４及び図６参照）。筺体３０の前側開口のうち蓋３１で塞がれていない部分が、流入口３０ａを構成する。前面パネル３の縁とケーシング２との間の隙間から吸い込まれた室内空気が、この流入口３０ａを通って筺体３０内に流入する。また、筺体３０内の下部には、補助フィルタ３２が配置される（図６参照）。流入口３０ａから筺体３０内に流入した空気は、補助フィルタ３２を通過して、空気中に含まれる塵埃が除去される。
【００３２】
筺体３０の左壁には、筺体３０内で発生した活性種を外部に放出する流出口３０ｂが形成されている。活性種発生ユニット９をケーシング２の収容部１３に取り付けたとき、流出口３０ｂはケーシング２の流路溝１４の右端と対向する。流出口３０ｂから排出された活性種は、流路溝１４を通過した後、開口部１２からケーシング２内に吸い込まれる。
【００３３】
筺体３０の底部の前面には、前方に突出する４本の電極板支持柱３３〜３６が略上下方向に並んで形成されている。内側の２本の電極板支持柱３３、３４は同じ長さである。外側の２本の電極板支持柱３５、３６は、同じ長さであって、電極板支持柱３３、３４よりも長い。
【００３４】
電極板支持柱３３、３５は、円筒状であって、その内周面にはネジ溝が形成されている。電極板支持柱３４、３６は、円筒と四角筒とを組み合わせた形状であって、円筒状部分の内周面にはネジ溝が形成されており、四角筒状部分の内側の孔（四角孔３４ａ、３６ａ）は、筺体３０の底部を貫通している。また、筺体３０の底部の後面には、四角孔３４ａ、３６ａの縁から後方に突出する突出部３７、３８が形成されている。
【００３５】
放電電極板４０は、矩形状の金属板であって、電極板支持柱３３、３４の前端にネジで固定される。対向電極板４１は、放電電極板４０よりも大きい矩形状の金属板であって、電極板支持柱３５、３６の前端にネジで固定される。放電電極板４０の中央部は、対向電極板４１側に突出しており、この突出部分の先端に放電針４２が保持される。
【００３６】
図７に示すように、端子板４５は、対向電極板４１に形成された孔と、電極板支持柱３６の四角孔３６ａとに挿通され、前後方向に沿って配置される。端子板４５の前端部は、対向電極板４１と共に電極板支持柱３６にネジで固定される。端子板４５の後側略半分は、突出部３８に沿って配置される。活性種発生ユニット９をケーシング２の収容部１３に取り付けたとき、突出部３８及び端子板４５は、収容部１３の挿通孔１３ｂに挿通され、端子板４５は、接点部２５と接触して電気的に接続される。
【００３７】
また、図示は省略するが、端子板４４は、放電電極板４０に形成された孔と、電極板支持柱３４の四角孔３４ａとに挿通され、前後方向に沿って配置される（図１２，１３参照）。端子板４４の前端部は、放電電極板４０と共に電極板支持柱３４にネジで固定される。端子板４４の後側略半分は、突出部３７に沿って配置される。また、活性種発生ユニット９をケーシング２の収容部１３に取り付けたとき、突出部３７及び端子板４４は、収容部１３の挿通孔１３ａに挿通され、端子板４４は、接点部２４と接触して電気的に接続される（図５，９等参照）。
【００３８】
図１２に示す放電針４２に電圧が印加されると、放電針４２の両端から対向電極板４１に向かって放電が発生する。そして、放電により低温プラズマが発生することによって活性種（高速電子、イオン、水酸化ラジカル及び励起酸素分子など）が発生する。これらの活性種は、アンモニア類や、アルデヒド類、窒素酸化物等の小さな有機分子からなる空気中の有害成分や臭気成分を分解する。放電針４２と対向電極板４１が、本発明の活性種発生放電部を構成する。
【００３９】
活性種が発生する際に、副産物として硝酸アンモニウム及びオゾンが発生する。発生した硝酸アンモニウム等の一部は、図６に示す四角孔３４ａ、３６ａを通って筺体３０の外に排出され、挿通孔１３ａ、１３ｂを通ってケーシング２内に入った後、接点部２４、２５の付近まで移動する。接点部２４周辺の硝酸アンモニウム等は、ファン４による負圧によって、壁部２６の切り欠き２６ｃを通って、縦壁２６ａより熱交換器５側の空間に移動する（図９参照）。また、接点部２５周辺の硝酸アンモニウム等は、縦壁２６ａと下壁２６ｂとの間を通過した後、切り欠き２６ｃを通って、縦壁２６ａより熱交換器５側の空間に移動する。
【００４０】
本実施形態の空気調和機によると、接点部２４、２５とファン４との間に壁部２６を配置したことにより、ファン４による空気流が接点部２４、２５を通過しないため、接点部２４、２５周辺に埃等が付着して絶縁耐力が低下するのを防止できる。そして、この壁部２６に切り欠き２６ｃが形成されていることで、活性種の発生時に発生した硝酸アンモニウムやオゾンが、活性種発生ユニット９から排出されて接点部２４、２５周辺に移動した場合に、縦壁２６ａの接点部２４、２５側にある硝酸アンモニウム等を、切り欠き２６ｃによって、縦壁２６ａの接点部２４、２５と反対側の空間に排出できる。したがって、硝酸アンモニウム等が接点部２４、２５周辺に溜まるのを防止できるため、接点部２４、２５や配線２８等の部品が硝酸アンモニウム等で腐食するのを防止できる。
【００４１】
また、切り欠き２６ｃはドレンパン６よりも高い位置に形成されているため、切り欠き２６ｃを通って縦壁２６ａの熱交換器５側の空間に移動した硝酸アンモニウム等を、ドレンパン６内に溜めることができる。したがって、ドレンパン６内に貯留された凝縮水と一緒に硝酸アンモニウム等を室内機１から排出できる。
【００４２】
また、電装品箱２０の箱部２１は、接点部２４、２５に対して縦壁２６ａと反対側に開口を有するため、切り欠き２６ｃを通って縦壁２６ａの接点部２４、２５と反対側の空間に移動した硝酸アンモニウム等が、箱部２１と蓋部２２との隙間から電装品箱２０内に侵入することが無い。そのため、電装品箱２０内の電子部品の腐食を防止できる。
【００４３】
また、接点部２４、２５に対して縦壁２６ａと反対側に、壁部２６の一部が設けられているため、接点部２４、２５周辺にある硝酸アンモニウム等が箱部２１の開口側に移動するのを防止でき、電装品箱２０内の電子部品の腐食を防止できる。
【００４４】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味及び範囲内でのすべての変更が含まれる。
【００４５】
例えば、上述の実施形態では、２つの接点部（第２接点部）２４、２５が上下方向に並んで設けられているが、左右方向に並んで設けられていてもよい。この場合、ファンによる空気流が接点部周辺を通過しないように、壁部の縦壁は、２つの接点部（第２接点部）のうち熱交換側の接点部と熱交換器との間に配置される。
【００４６】
また、上述の実施形態では、活性種発生ユニット９は、室内機１の左右方向端部に配置されており、ファン４及び熱交換器５に対して左右方向に並んで配置されているが、活性種発生ユニットの配置位置はこれに限定されない。活性種発生ユニットは、熱交換器の前方に配置されていてもよい。この場合、活性種発生ユニットの２つの端子板（第１接点部）と接続される２つの接点部（第２接点部）は、上下方向に並んでいても、左右方向に並んでいてもよい。
【００４７】
また、上述の実施形態では、電装品箱２０の箱部２１は、接点部（第２接点部）２４、２５に対して縦壁２６ａと反対側に開口を有しているが、接点部２４、２５に対して縦壁２６ａ側に開口を有していてもよい。
【００４８】
また、上述の実施形態では、壁部２６及び接点部（第２接点部）２４、２５は、電装品箱２０の外面に配置されているが、電装品箱２０以外の部材に配置されていてもよい。
【産業上の利用可能性】
【００４９】
本発明を利用すれば、活性種の発生時に生じる硝酸アンモニウム等が接点部に溜まるのを防止でき、腐食を防止できる。
【符号の説明】
【００５０】
１  室内機
２  ケーシング
４  ファン
５  熱交換器
６  ドレンパン
９  活性種発生ユニット
２０  電装品箱
２１  箱部
２２  蓋部
２３  高圧電源基板（高圧電源供給部）
２４、２５  接点部（第２接点部、高圧電源供給部）
２６  壁部
２６ａ  縦壁（壁部）
２６ｂ  下壁
２６ｃ  切り欠き
２８  配線（高圧電源供給部）
４０  放電電極板
４１  対向電極板（活性種発生放電部）
４２  放電針（活性種発生放電部）
４４、４５  端子板（第１接点部）
【図１】
2014013113.tif 000003
【図２】
2014013113.tif 000004
【図３】
2014013113.tif 000005
【図４】
2014013113.tif 000006
【図５】
2014013113.tif 000007
【図６】
2014013113.tif 000008
【図７】
2014013113.tif 000009
【図８】
2014013113.tif 000010
【図９】
2014013113.tif 000011
【図１０】
2014013113.tif 000012
【図１１】
2014013113.tif 000013
【図１２】
2014013113.tif 000014
【図１３】
2014013113.tif 000015
【図１４】
2014013113.tif 000016